(57)【要約】【課題】不使用時における保管性を向上することができる収納スツールを提供する。【解決手段】収納スツール１では、蓋体３の第１及び第２の側板部の間隔Ｌ１は、箱体２の第１及び第２の側壁部の上下方向の長さＬ２よりも長くなっているので、折りたたまれた箱体２は、第１及び第２の側壁部が蓋体３内に嵌まるようにして、底板４と一緒に蓋体３内に収容される。よって、収納スツール１の不使用時においては、箱体２および底板４は蓋体３と一体になり、これら部品がばらばらになり難くなっている。したがって、不使用時における保管性が向上する。【選択図】図５
0003168552.tif 000002
【実用新案登録請求の範囲】
【請求項１】
収納空間を包囲する第１〜第４の側壁部および底面部を有し、前記第１〜第４の側壁部同士が、それぞれの稜線に沿って形成された第１〜第４の折曲部で折り曲げ可能な箱体と、前記底面部上に載置されて前記箱体を支承する底板と、前記箱体の上部に形成された開口を覆うと共に座面部をなす蓋体と、を備えた収納スツールであって、
前記箱体は、互いに対向する前記第１及び第２の側壁部と、互いに対向する第３及び第４の側壁部と、前記第１〜第４の側壁部の下端同士を連結する軟性の前記底面部と、を有し、
前記蓋体は、前記開口を覆うと共に座面部をなす天板部と、前記天板部に連設されて前記第１〜第４の側壁部のそれぞれの外壁面に沿って延在する第１〜第４の側板部と、を有し、
前記第１〜第４の側壁部のうち一対の側壁部は、幅方向における中央部で上下方向に延在する第５及び第６の折曲部により折り曲げ可能であり、
前記一対の側壁部とは異なる他の側壁部の外壁面に沿って延在する前記蓋体の一対の側板部の間隔は、前記他の側壁部の上下方向の長さよりも長くなっていることを特徴とする収納スツール。
【請求項２】
前記第１〜第４の側板部によって形成される前記蓋体の開口面積は、前記他の側壁部の面積よりも僅かに大きいことを特徴とする請求項１記載の収納スツール。
【請求項３】
前記第３及び第４の側壁部は、前記第１及び第２の側壁部よりも幅が広く、幅方向における中央部で上下方向に延在する前記第５及び第６の折曲部により折り曲げ可能であり、
前記第３及び第４の側壁部が前記第５及び第６の折曲部により折り曲げられることにより、前記第１及び第２の側壁部の間で当該中央部同士が重なることを特徴とする請求項１又は２記載の収納スツール。
【考案の詳細な説明】
【技術分野】
【０００１】
本考案は、折りたたみ可能な収納スツールに関するものである。
【背景技術】
【０００２】
従来、このような分野の技術として、下記特許文献に示されるように、箱体と、箱体の底面上に載置される底板と、蓋体とからなり、不使用時に蓋体および箱体を扁平状に折りたたむことができる収納スツール（座椅子となる収納箱）が知られている。
【０００３】
この収納スツールでは、箱体の底面は軟性を有しており、この箱体において相対する一対の側壁は折り曲がらず、もう１つの相対する一対の側壁は、その中央で上下に設けられた折線で折れるようになっている。また、蓋体は、天板から下方に延びると共に天板側に折りたたみ可能な４つの延伸壁を有しており、これら延伸壁のうち相対する一対の延伸壁は、傾斜折線により折れるようになっている。このような構成により、箱体および蓋体のそれぞれが、扁平状に折りたたみ可能となっている。
【先行技術文献】
【特許文献】
【０００４】
【特許文献１】実用新案登録第３１２１０９６号公報
【考案の概要】
【考案が解決しようとする課題】
【０００５】
しかしながら、上述した従来の収納スツールでは、収納スツールの不使用時において、折りたたんだ箱体および蓋体、さらには底板を重ね合わせて保管することとなる。その場合、箱体、蓋体、及び底板が保管中にばらばらになるおそれがあり、例えば、いずれかを紛失してしまうこともある。このように、不使用時における保管性に問題があった。
【０００６】
そこで本考案は、不使用時における保管性を向上することができる収納スツールを提供することを目的とする。
【課題を解決するための手段】
【０００７】
本考案に係る収納スツールは、収納空間を包囲する第１〜第４の側壁部および底面部を有し、第１〜第４の側壁部同士が、それぞれの稜線に沿って形成された第１〜第４の折曲部で折り曲げ可能な箱体と、底面部上に載置されて箱体を支承する底板と、箱体の上部に形成された開口を覆うと共に座面部をなす蓋体と、を備えた収納スツールであって、箱体は、互いに対向する第１及び第２の側壁部と、互いに対向する第３及び第４の側壁部と、第１〜第４の側壁部の下端同士を連結する軟性の底面部と、を有し、蓋体は、開口を覆うと共に座面部をなす天板部と、天板部に連設されて第１〜第４の側壁部のそれぞれの外壁面に沿って延在する第１〜第４の側板部と、を有し、第１〜第４の側壁部のうち一対の側壁部は、幅方向における中央部で上下方向に延在する第５及び第６の折曲部により折り曲げ可能であり、一対の側壁部とは異なる他の側壁部の外壁面に沿って延在する蓋体の一対の側板部の間隔は、他の側壁部の上下方向の長さよりも長くなっていることを特徴とする。
【０００８】
この収納スツールによれば、箱体内の収納空間に収納物を入れることができる。また、底面部上に載置される底板により箱体が支えられ、箱体を覆う蓋体の天板部が座面部となって、スツールとしても利用することができる。ここで、箱体の第１〜第４の側壁部のうち一対の側壁部は、幅方向における中央部で上下方向に延在する第５及び第６の折曲部により折り曲げ可能になっている。一対の側壁部が第５及び第６の折曲部により折り曲げられると、第１〜第４の側壁部同士も第１〜第４の折曲部で折り曲げられ、これによって箱体を折りたたむことができる。そして、一対の側壁部とは異なる他の側壁部の外壁面に沿って延在する蓋体の一対の側板部の間隔は、他の側壁部の上下方向の長さよりも長くなっているので、折りたたまれた箱体は、当該他の側壁部が蓋体内に嵌まるようにして、底板と一緒に蓋体内に収容可能となる。よって、収納スツールの不使用時においては、箱体および底板は蓋体と一体になっており、これら部品がばらばらになり難い。したがって、不使用時における保管性を向上することができる。
【０００９】
ここで、第１〜第４の側板部によって形成される蓋体の開口面積は、他の側壁部の面積よりも僅かに大きいことが好ましい。この場合、箱体は蓋体内にちょうど収まるので、蓋体内のスペースが無駄なく生かされる。また、蓋体に箱体がフィットすることで、蓋体からの箱体の抜け落ちが確実に防止され、保管性がより一層高められる。
【００１０】
また、第３及び第４の側壁部は、第１及び第２の側壁部よりも幅が広く、幅方向における中央部で上下方向に延在する第５及び第６の折曲部により折り曲げ可能であり、第３及び第４の側壁部が第５及び第６の折曲部により折り曲げられることにより、第１及び第２の側壁部の間で当該中央部同士が重なることが好ましい。この場合、第３及び第４の側壁部の中央部同士が第１及び第２の側壁部の間で重なるので、折りたたまれた箱体は非常にコンパクトなサイズとなる。よって、収納スツールの保管に要するスペースを最小限に抑えることができる。
【考案の効果】
【００１１】
本考案に係る収納スツールによれば、不使用時における保管性を向上することができる。
【図面の簡単な説明】
【００１２】
【図１】本考案に係る収納スツールの第１実施形態を示す斜視図である。
【図２】図１の収納スツールの分解斜視図である。
【図３】図２中の蓋体を裏面側から見た斜視図である。
【図４】図２中の箱体の側壁部を折りたたんだ状態を示す斜視図である。
【図５】底板および箱体が蓋体に収容される前の状態を示す斜視図である。
【図６】底板および箱体が蓋体に収容された状態を示す斜視図である。
【図７】本考案に係る収納スツールの第２実施形態を示す斜視図である。
【図８】底板および箱体が蓋体に収容される前の状態を示す斜視図である。
【図９】他の実施形態における箱体および底板を示す斜視図である。
【図１０】（ａ）は、さらに他の実施形態における蓋体を裏面側から見た斜視図であり、（ｂ）は、（ａ）の蓋体に底板および箱体が収容された状態を示す斜視図である。
【考案を実施するための形態】
【００１３】
以下、本考案の実施形態について、図面を参照しながら説明する。なお、図面の説明において同一要素には同一符号を付し、重複する説明は省略する。
【００１４】
図１及び図２に示すように、収納スツール１は、上部に長方形の開口１７を有すると共に、内部に収納空間Ｓを形成する直方体状の箱体２と、箱体２の底面部１５上に載置されて箱体２を支承する長方形状の硬質の底板４と、箱体２の開口１７を覆う蓋体３とを備えている。収納スツール１は、収納空間Ｓに収納物を収納可能であると共に、蓋体３を取り付けた状態では、蓋体３の天板部２０が座面部となり、充分な強度を有するスツール（椅子）としても利用可能なものである。
【００１５】
箱体２は、収納空間Ｓを包囲する第１〜第４の側壁部１１〜１４と、第１〜第４の側壁部１１〜１４の下端同士を連結する軟性の底面部１５とを有している。第１〜第４の側壁部１１〜１４は、互いに対向する第１及び第２の側壁部１１，１２と、互いに対向すると共に、第１及び第２の側壁部１１，１２よりも幅が広い第３及び第４の側壁部１３，１４と、からなる。
【００１６】
第１〜第４の側壁部１１〜１４同士は、それぞれの稜線に沿って形成された第１〜第４の折曲部Ａ〜Ｄで折り曲げ可能になっている。また、第３及び第４の側壁部（一対の側壁部）１３，１４は、幅方向における中央部１３ｄ，１４ｄで上下方向に延在する第５及び第６の折曲部１３ｂ，１４ｂにより折り曲げ可能になっている。これらの第１〜第４の折曲部Ａ〜Ｄおよび第５及び第６の折曲部１３ｂ，１４ｂは、箱体２を折りたたむために形成される。第３及び第４の側壁部１３，１４は、折曲部１３ｂ，１４ｂを境界として両側に板部１３ａ,１３ｃおよび板部１４ａ，１４ｃをそれぞれ有している。
【００１７】
第１〜第４の側壁部１１〜１４についてより詳しく説明すると、第１及び第２の側壁部１１，１２は、芯材として、各１枚の中密度繊維板（medium  density  fiberboard；以下、ＭＤＦ板という）を有している。板部１３ａ,１３ｃおよび板部１４ａ，１４ｃは、芯材として、第５及び第６の折曲部１３ｂ，１４ｂの両側に配置された各１枚のＭＤＦ板を有している。第１〜第４の側壁部１１〜１４は、各ＭＤＦ板の表面および裏面が帆布などの布材で被覆されてなると共に、この布材によって互いに連結されている。ＭＤＦ板同士間に形成された隙間と、ＭＤＦ板同士を覆って連結する布材とによって、ＭＤＦ板同士間に折曲部が形成される。
【００１８】
第１及び第２の側壁部１１，１２の中央部のやや上方位置には、紐状の取手１６が設けられている。この取手１６は、収納スツール１が組み立てられた状態（図１に示す状態）において、収納スツール１の持ち運びに利用されると共に、収納スツール１が折りたたまれた状態（図６に示す状態）において、箱体２の取り出しに利用される。
【００１９】
底面部１５は、第１〜第４の側壁部１１〜１４に用いられる布材と同素材の布材からなってもよく、他の化学繊維などからなってもよい。底面部１５は、側壁部１１〜１４の下辺に対して、例えば縫い付けられている。軟性の底面部１５は、上記した第１〜第４の側壁部１１〜１４同士の折り曲げや第３及び第４の側壁部１３，１４の折り曲げに追従して、変形自在になっている。
【００２０】
底板４は、芯材として、例えば厚紙を有しており、この厚紙の表面および裏面が不織布等からなる布材で被覆されている。底板４の各辺の長さは、第１〜第４の側壁部１１〜１４の各幅よりも僅かに小さくなっている。底板４は、底面部１５上に載置されることにより、第１〜第４の側壁部１１〜１４同士の折り曲げや第３及び第４の側壁部１３，１４の折り曲げを規制する。底板４の表面側には、長辺の中央において、手で摘んで底板４を引っ張り上げるための摘み片５が設けられている。
【００２１】
蓋体３は、箱体２の開口１７を覆うと共に、スツールとして使用される際の座面部をなす長方形状の天板部２０と、天板部２０の各辺に連設されて下方に延びる第１〜第４の側板部２１〜２４とを有している。第１〜第４の側板部２１〜２４は、箱体２の第１〜第４の側壁部１１〜１４の上部の各外壁面に沿って延在している。第１〜第４の側板部２１〜２４の天板部２０からの延出長さは、折りたたまれた箱体２（詳しくは後述）と底板４とを重ね合わせた場合における厚みと同等またはそれ以上となっている。
【００２２】
天板部２０は、芯材としてＭＤＦ板を有している。第１〜第４の側板部２１〜２４のそれぞれは、芯材として、例えば厚紙を有している。天板部２０及び第１〜第４の側板部２１〜２４は、ＭＤＦ板および厚紙の表面および裏面が化学繊維や不織布からなる布材で被覆されてなると共に、この布材によって互いに連結されている。さらに、天板部２０のＭＤＦ板の表面側と布材との間には、座り心地を向上させるための緩衝材（図示せず）が埋設されている。緩衝材としては、例えばウレタンを用いることができる。
【００２３】
図２及び図３に示すように、蓋体３は、箱体２とは異なり、折り曲げ可能な部分を有していない。蓋体３は、図３に示す直方体形状を保つようになっている。図１に示すように、蓋体３は、箱体２の上部に嵌合されて箱体２の変形を抑制し、収納スツール１の強度を向上させる。
【００２４】
ここで、収納スツール１にあっては、蓋体３において互いに対向する第１及び第２の側板部（一対の側板部）２１，２２の間隔Ｌ１（図３参照）は、箱体２における第１及び第２の側壁部（他の側壁部）１１，１２の上下方向の長さＬ２（図２参照）よりも長くなっている。より具体的には、第１及び第２の側板部２１，２２の間隔Ｌ１は、第１及び第２の側壁部１１，１２の上下方向の長さＬ２よりも僅かに長くなっている。すなわち、第１〜第４の側板部２１〜２４によって形成される蓋体３の開口２５（図３参照）の面積は、第１及び第２の側壁部１１，１２（図２参照）の面積よりも僅かに大きくなっている。なお、底板４の長辺の長さＬ３は、第１及び第２の側壁部１１，１２の上下方向の長さＬ２と等しくなっている。
【００２５】
このような構成により、第１及び第２の側壁部１１，１２のそれぞれは、上辺回りに９０度回転させると、蓋体３内にちょうど収まる形状および大きさになっている。
【００２６】
以上説明した本実施形態の収納スツール１によれば、図２に示すように、箱体２内の収納空間Ｓに収納物を入れることができ、また、底面部１５上に載置される底板４により箱体２が支えられ、箱体２を覆う蓋体３の天板部２０が座面部となって、充分な強度を有するスツールとしても利用できる。そして、第３及び第４の側壁部１３，１４が、第５及び第６の折曲部１３ｂ，１４ｂにより折り曲げられると、第１〜第４の側壁部１１〜１４同士も第１〜第４の折曲部Ａ〜Ｄで折り曲げられ、これによって箱体２が折りたたまれる（図４参照）。さらに、蓋体３の第１及び第２の側板部２１，２２の間隔Ｌ１（図３及び図５参照）は、箱体２の第１及び第２の側壁部１１，１２の上下方向の長さＬ２（図２、図４、及び図５参照）よりも長くなっているので、折りたたまれた箱体２は、第１及び第２の側壁部１１，１２が蓋体３内に嵌まるようにして、底板４と一緒に蓋体３内に収容される（図５及び図６参照）。よって、収納スツール１の不使用時においては、箱体２および底板４は蓋体３と一体になり、これら部品がばらばらになり難くなっている。したがって、不使用時における保管性が向上する。
【００２７】
前述した従来の技術では、折りたたんだ箱体および蓋体、さらには底板を重ね合わせて保管することとなるため、これら部品の紛失を防止するためには、保管用袋などを別途用意する必要があった。しかしながら、本実施形態の収納スツール１では、そのような袋を省略することができ、また、従来の技術のように、複雑な折線構造を蓋体に設ける必要がなく、その分製造が容易となり、製造コストも低減される。
【００２８】
また、第１〜第４の側板部２１〜２４によって形成される蓋体３の開口２５の面積が第１及び第２の側壁部１１，１２のそれぞれの面積よりも僅かに大きいので、箱体は蓋体内にちょうど収まり、蓋体３内のスペースが無駄なく生かされる。さらに、蓋体３に箱体２がフィットすることで、蓋体３からの箱体２の抜け落ちが確実に防止され、保管性がより一層高められている。
【００２９】
また、第３及び第４の側壁部１３，１４は第１及び第２の側壁部１１，１２よりも幅が広く、第５及び第６の折曲部１３ｂ，１４ｂにより折り曲げられることにより、第１及び第２の側壁部１１，１２の間で第３及び第４の側壁部１３，１４の中央部１３ｄ，１４ｄ同士が重なるので、折りたたまれた箱体２は非常にコンパクトなサイズとなる。よって、収納スツール１の保管に要するスペースが最小限に抑えられている。
【００３０】
また、図６に示すように、蓋体３内に箱体２を収容した状態においては、蓋体３の開口２５から第１又は第２の側壁部１１，１２が露出することとなる。第１及び第２の側壁部１１，１２に取手１６が設けられているので、蓋体３内に収容された箱体２の取手１６を持って引っ張ることにより、箱体２を蓋体３から取り出し易くなる。
【００３１】
図７及び図８は、収納スツールの第２実施形態を示す斜視図である。図７及び図８に示す収納スツール１Ａが図２及び図５等に示した第１実施形態の収納スツール１と違う点は、箱体２に代えて、幅が広い第３及び第４の側壁部１３Ａ，１４Ａには折曲部が設けられず、第１及び第２の側壁部１１Ａ，１２Ａの幅方向における中央部で上下方向に延在する第５及び第６の折曲部１１ｂ，１２ｂが設けられた箱体２Ａを備えた点と、蓋体３の第３及び第４の側板部２３，２４の間隔Ｌ５が、箱体２Ａにおける第３及び第４の側壁部１３Ａ，１４Ａの上下方向の長さＬ６よりも僅かに長くなっている点である。第１及び第２の側壁部１１Ａ，１２Ａは、折曲部１１ｂ，１２ｂを境界として両側に板部１１ａ,１１ｃおよび板部１２ａ，１２ｃをそれぞれ有している。
【００３２】
収納スツール１Ａでは、第１及び第２の側壁部１１Ａ，１２Ａが一対の側壁部に相当し、第３及び第４の側壁部１３Ａ，１４Ａが他の側壁部に相当し、蓋体３の第３及び第４の側板部２３，２４が一対の側板部に相当する。第１〜第４の側板部２１〜２４によって形成される蓋体３の開口２５（図８参照）の面積は、第３及び第４の側壁部１３Ａ，１４Ａ（図７参照）の面積よりも僅かに大きくなっている。なお、底板４の短辺の長さＬ７は、第３及び第４の側壁部１３Ａ，１４Ａの上下方向の長さＬ６と等しくなっている。
【００３３】
上記構成を有する収納スツール１Ａにおいても、第３及び第４の側壁部１３Ａ，１４Ａのそれぞれは、上辺回りに９０度回転させると、蓋体３内にちょうど収まる形状および大きさになっている。第１及び第２の側壁部１１Ａ，１２Ａが、第５及び第６の折曲部１１ｂ，１２ｂにより折り曲げられると、第１〜第４の側壁部１１〜１４同士も第１〜第４の折曲部Ａ〜Ｄで折り曲げられ、これによって箱体２Ａが折りたたまれる（図８参照）。さらに、蓋体３の第３及び第４の側板部２３，２４の間隔Ｌ５は、箱体２Ａの第３及び第４の側壁部１３Ａ，１４Ａの上下方向の長さＬ６よりも長くなっているので、折りたたまれた箱体２Ａは、第３及び第４の側壁部１３Ａ，１４Ａが蓋体３内に嵌まるようにして、底板４と一緒に蓋体３内に収容される。よって、収納スツール１Ａの不使用時においては、箱体２Ａおよび底板４は蓋体３と一体になり、これら部品がばらばらになり難くなっている。したがって、不使用時における保管性が向上する。
【００３４】
また、第１〜第４の側板部２１〜２４によって形成される蓋体３の開口２５の面積が第３及び第４の側壁部１３Ａ，１４Ａのそれぞれの面積よりも僅かに大きいので、箱体２Ａは蓋体３内にちょうど収まり、蓋体３内のスペースが無駄なく生かされる。さらに、蓋体３に箱体２Ａがフィットすることで、蓋体３からの箱体２Ａの抜け落ちが確実に防止され、保管性がより一層高められている。
【００３５】
以上、本考案の一実施形態について説明したが、本考案は、上記実施形態に限られるものではない。例えば、上記各実施形態では、底板４が箱体２とは別体である場合について説明したが、図９に示すように、底板３０が第１の側壁部１１の下辺に連結された箱体２Ｂとすることもできる。この場合、底板３０の表面側には、第２の側壁部１２側の短辺の中央において、底板３０を引っ張り上げるための摘み片３１が設けられる。このような構成により、底板３０が箱体２Ｂに一体化されて、不使用時における保管性が一層向上すると共に、収納スツールの組立て時においても、底板３０を底面部１５上に嵌め込み易くなる。
【００３６】
さらに、図１０（ａ），（ｂ）に示すように、蓋体３内において底板４及び箱体２をより確実に保持するため、蓋体３に抑えベルト４０を設けた収納スツール１Ｃとすることもできる。この場合、第３の側板部２３にベルト４１の基端が固定されると共に、第４の側板部２４にベルト４２の基端が固定される。ベルト４１及びベルト４２は、収納スツール１の不使用時に箱体２上で他端同士が重ねられて、面ファスナの雌部４７及び雄部４８の係合によって互いに連結される。また、収納スツール１の使用時には、ベルト４１，４２に設けられた面ファスナの雄部４４，４６が、第３及び第４の側板部２３，２４の裏面側と天板部２０の裏面側とに設けられた雌部４３，４５に係合されて、ベルト４１，４２の遊びが防止される。
【００３７】
また、上記実施形態では芯材としてＭＤＦ板を用いる場合について説明したが、軽量であると共に所定の強度を有する板材であれば、これに限られず、例えば炭素繊維強化樹脂板などを用いてもよい。
【００３８】
また、上記実施形態では第１〜第４の側壁部のうち一対の側壁部のみが中央部で折り曲げ可能であり、他の側壁部は折り曲げ可能ではない場合について説明したが、第１〜第４の側壁部のいずれもが、各中央部で上下方向に延在する折曲部により折り曲げ可能であってもよい。
【符号の説明】
【００３９】
１，１Ａ，１Ｃ…収納スツール、２，２Ａ，２Ｂ…箱体、３…蓋体、４…底板、１１〜１４…第１〜第４の側壁部、１１Ａ〜１４Ａ…第１〜第４の側壁部、１１ｂ，１２ｂ…折曲部、１３ｂ，１４ｂ…折曲部、１５…底面部、１６…取手、１７…箱体の開口、２０…天板部、２１〜２４…第１〜第４の側板部、２５…蓋体の開口、３０…底板、Ａ〜Ｄ…折曲部、Ｌ１…第１及び第２の側板部（一対の側板部）の間隔、Ｌ２…第１及び第２の側壁部（他の側壁部）の上下方向の長さ、Ｌ５…第３及び第４の側板部（一対の側板部）の間隔、Ｌ６…第３及び第４の側壁部（他の側壁部）の上下方向の長さ。
【図１】
0003168552.tif 000003
【図２】
0003168552.tif 000004
【図３】
0003168552.tif 000005
【図４】
0003168552.tif 000006
【図５】
0003168552.tif 000007
【図６】
0003168552.tif 000008
【図７】
0003168552.tif 000009
【図８】
0003168552.tif 000010
【図９】
0003168552.tif 000011
【図１０】
0003168552.tif 000012